(57)【要約】  【課題】路面の状態をリアルタイムで高精度に計測でき、小型でエネルギー効率の良い路面状態計測方法及び装置を提供する。  【解決手段】水および氷のいずれに対しても吸収され難い波長と、氷に対しては吸収され難く水に対しては吸収され易い波長と、水および氷のいずれに対しても同程度に吸収される波長の少なくとも３つの波長の近赤外光を光源２から対象物に照射し、この照射された各波長の近赤外光が対象物で反射された反射光を検出し、この検出された反射光量を演算処理することにより路面状態を判別する。【選択図】図１
2006046936.tif 000002
【特許請求の範囲】
【請求項１】
水および氷のいずれに対しても吸収され難い波長と、氷に対しては吸収され難く水に対しては吸収され易い波長と、水および氷のいずれに対しても同程度に吸収される波長の少なくとも３つの波長の近赤外光を光源から対象物に照射する照射工程と、
この照射された各波長の近赤外光が対象物で反射された反射光を検出する検出工程と、
この検出された反射光量を演算処理することにより路面状態を判別する演算処理工程と、を有することを特徴とする路面状態計測方法。
【請求項２】
水および氷のいずれに対しても吸収され難い波長と、氷に対しては吸収され難く水に対しては吸収され易い波長と、水および氷のいずれに対しても同程度に吸収される波長の少なくとも３つの波長の近赤外光を対象物に照射する光源と、
この照射された各波長の近赤外光が対象物で反射された反射光を検出する検出手段と、
この検出された反射光量を演算処理することにより路面状態を判別する演算処理手段と、を備えることを特徴とする路面状態計測装置。
【請求項３】
前記近赤外光は、少なくとも３つの異なる単一波長の光をそれぞれ個別に出力する光源から照射されていることを特徴とする請求項１または２記載の路面状態計測方法または路面状態計測装置。
【請求項４】
前記少なくとも３つの異なる単一波長の光を出力する光源の全てが１つのパッケージ内に配置され、それら光源からの光が光学部品によりコリメートあるいは集光されることを特徴とする請求項３記載の路面状態計測方法または路面状態計測装置。
【請求項５】
前記光源は、発光ダイオードを用いることを特徴とする請求項１ないし４のいずれか記載の路面状態計測方法または路面状態計測装置。
【請求項６】
前記反射光の検出には、１つの受光面を有する受光素子が用いられていることを特徴とする請求項１ないし５のいずれか記載の路面状態計測方法または路面状態計測装置。
【請求項７】
前記受光素子の受光面の路面に対する光学的距離を保持するための補正手段を有することを特徴とする請求項６記載の路面状態計測方法または路面状態計測装置。
【請求項８】
前記少なくとも３つの波長の近赤外光を対象物に照射するタイミングは、前記各光源をトリガパルスによるシーケンシャル制御することによって設定されていることを特徴とする請求項１ないし７のいずれか記載の路面状態計測方法または路面状態計測装置。
【請求項９】
前記各光源のシーケンシャル制御により対象物に照射される合計の時間あるいは測定時間が、５０μｓ〜１０ｍｓであることを特徴とする請求項８記載の路面状態計測方法または路面状態計測装置。
【請求項１０】
前記少なくとも３つの波長の近赤外光を対象物に照射するタイミングは、前記水および氷のいずれに対しても吸収され難い波長の光が点灯している時間内に、前記氷に対しては吸収され難く水に対しては吸収され易い波長の光と、前記水および氷のいずれに対しても同程度に吸収される波長の光とが、交互に点灯時と不点灯時になるように設定されており、これら各波長の光のそれぞれの点灯時と不点灯時に光量の測定が行なわれることを特徴とする請求項１ないし９のいずれか記載の路面状態計測方法または路面状態計測装置。
【請求項１１】
請求項１ないし１０に記載の方法または装置により検知された情報を、各種の車両制御装置へフィードバックすることを特徴とする路面状態計測方法または路面状態計測装置。
【発明の詳細な説明】
【技術分野】
【０００１】
本発明は、車の安全性、操舵性能に大きな影響を与える路面上の湿潤、凍結等の情報をセンシングすることによりドライバーや各制御装置等に路面情報を提供することを目的とする路面状態計測方法及び路面状態計測装置に関する。
【背景技術】
【０００２】
車両運転者にとって、道路の路面状態を把握することは非常に重要である。特に高速走行時においては、路面状態が車の安全運行および操舵性に大きな影響を及ぼすため、車両運転者は、走行中常に注意を払っている。この路面状態の中でも、路面の湿潤、凍結等は車の操舵性を大きく奪うことから、その情報は運転者にとって非常に重要である。
【０００３】
一方、道路管理者にとっても、路面状態を把握することは管理業務の主業務に挙げられており、路面の湿潤、凍結等の情報は、道路の安全確保のために適切な作業を行なうための判断材料として利用している。また、通行中のドライバーに注意を促すために、路面情報の提供も行なっている。
【０００４】
このような路面状態を把握するために用いられる装置としては、次のようなものが従来から提供されている。
【０００５】
まず、高速道路や一般道路向けの定置式のものとして、路面に埋設された温度計と各種気象情報や予測により路面の湿潤、凍結を予測するもの、赤外線を用いた反射光量の変化を用いたもの、定置カメラからの目視によるもの、道路設置型で近赤外の半導体レーザを使用したもの等、各種色々なものがある。
【０００６】
また、車載向けのものとして、外気温度により判断するもの、赤外光を用いるもの、電波を用いるもの等が提案されており、その中で赤外光を用いるものとして、空間周波数分析を用いたものがある（例えば、特許文献１参照。）。
【０００７】
この空間周波数分析を用いる方式では、照射光の正反射と拡散反射による光量比を元に演算処理することにより、路面上の物質を判別しているため、アスファルト以外の路面や白線上はその原理上、測定が困難である。また、近年、従来の路面上に使われていたアスファルトとは異なり、舗装体中の間隙率（空隙率）が多いことを特徴にした排水性舗装や高機能舗装と呼ばれる舗装技術が普及してきている。このような舗装技術による透水性アスファルトの測定では、従来のアスファルトより粒形の大きな骨材を使用しているので、空間周波数タイプの測定方式では、斑が大きいために測定が困難である。
【０００８】
一方、上記近赤外波長域での水の吸収特性を利用して水分量の測定を行なう方式を用いるものが提案されている（例えば、特許文献２参照。）。
【０００９】
この測定系では、光源に参照光と測定光に使用する波長を含むブロードなスペクトルを持つランプを使用し、フィルタで水に大きく吸収される波長（水の吸収波長）の近赤外線と水に吸収され難い波長（参照波長）の近赤外線との少なくとも２つの波長の近赤外光に分ける。そして、それぞれの光の反射光量の比を計算することにより、路面の水分量を計測するという方式が採用されている。この方式では、対象物の表面形状による影響を受け難く、同時に対象物に照射された光を利用するので時間的なずれがない。しかし、この方式では、路面の水分が水であるか、あるいは氷であるかの判定は、路面温度を測定することにより判断している。
【００１０】
また、近赤外の半導体レーザを使用して、水にも氷にも吸収され難い波長０．９０５μｍ、水に吸収され易く（水の吸収ピーク）、氷に吸収され難い波長１．４２μｍ、水に吸収され難く、氷に吸収され易い（氷の吸収ピーク）波長１．５５μｍの３波長を使用して、乾燥、積雪、湿潤、凍結の状態を区別する方式の測定方法も提案されている（例えば、特許文献３参照。）。
【００１１】
しかし、この方式では、水と氷の区別は、水に吸収され易く（水の吸収ピーク）、氷に吸収され難い波長１．４２μｍと水に吸収され難く、氷に吸収され易い（氷の吸収ピーク）波長１．５５μｍの反射光量の大小関係のみで判定を行なっており、水と氷の吸収のピーク波長では他方の材質においても吸収され易いので、反射光量差を測定するのは困難である。さらに、水と氷の混じったシャーベット状の路面に対しては何ら考慮されていない。
【００１２】
その他に、レーザ光の偏光特性を利用して路面状態の測定を行なう方式のものも提案されている（例えば、特許文献４参照。）。
【００１３】
一般に半導体レーザの特性として、１０℃程度の温度変化によってレーザの発振波長は数nｍ変化をし、光出力は１０ｍＷ近く変動する。したがって、近赤外波長の半導体レーザを使用した方式では、温度制御を行なうか、光出力を一定に保つ回路が必要となる。
【００１４】
さらに、図８に示すように、ランプ光源９１を用いて路面ｘに光を照射し、その反射光をフィルタによって３波長に分けて、各波長の比によって、路面状態を判別するものも提案されている（例えば、非特許文献１参照。）。
【００１５】
しかし、この文献に記載されているのは、反射光を３波長に分ける方式であり、反射光のうちの、どの波長の光を検出することで路面状態を判別できるのかは明らかにされていない。
【特許文献１】国際公開第ＷＯ９５／０１５４９号パンフレット
【特許文献２】特開平６−２２９９１７号公報
【特許文献３】特開平９−３１８７６６号公報
【特許文献４】特開平１０−２０６３１４号公報
【非特許文献１】プラカッシュ  ジョシ  フィジカルサイエンス株式会社（Ｐｒａｋａｓｈ  Ｊｏｓｈｉ，Ｐｈｙｓｉｃａｌ  Ｓｃｉｅｎｃｅｓ，Ｉｎｃ．）「モビール  ロード  コンディション  センサー  アズ  ウィンター  メンテナンス  エイド」（「Ａ  Ｍｏｂｉｌｅ  Ｒｏａｄ  Ｃｏｎｄｉｔｉｏｎ  Ｓｅｎｓｏｒ  ａｓ  Ｗｉｎｔｅｒ  Ｍａｉｎｔｅｎａｎｃｅ  Ａｉｄ」）２００２年５月  （Ｍａｙ  ２００２）ｐ３，ｐ９−１０，ｐ３４
【発明の開示】
【発明が解決しようとする課題】
【００１６】
上記した従来技術では、２つまたは３つの波長の光の反射光量を比較して路面状態を判別しようとしているが、具体的な波長については言及していない。
【００１７】
また、使用波長が述べられている特許文献３に記載された技術においても、水と氷のそれぞれの吸収がピークになる波長を使用している。一般に、氷の吸収波長のピーク位置は変動しないが、水の吸収波長のピーク位置は温度によって変動するため、このように水と氷のそれぞれの吸収がピークになる波長を使用した場合、正確な測定ができなくなってしまう。特に半導体レーザのように非常に狭いスペクトルを使用した場合には、吸収の変動が大きくなる。さらに、近赤外波長の半導体レーザを用いたものについては、温度によるモードホッピングにより発振波長が大きく変わり、光出力が変動する。そのため、半導体レーザを用いる場合は発振波長がずれないようにするために半導体レーザ自身の温度を外部温度と関係なく一定に保ち、光出力を一定に保持する回路を増設する必要がある。
【００１８】
また、図３に示されている水と氷の透過率のグラフからも分かるように、それぞれの透過率がボトムとなる位置での一方の材質と他方の材質との透過率の差は小さいので、それぞれの光量比で判別するには精度が良くない。
【００１９】
さらに、従来技術では、光源に近赤外領域の波長を含むキセノンランプ等を用いて路面の状態を判断しようとする試みも提案されているが、このようにランプを用いる光源のスペクトルはブロードであり、所望としている波長成分以外の成分の光を多く含んでいる。したがって、測定に用いられる波長の光量は、その照射光量全体からすれば小さいものである。実際の路面上での使用を考えた場合、外乱光等の影響を取り除くためにも、必然的にランプの照射光量を大きくする必要がある。そのため、装置が大型化したり、エネルギー効率が悪くなるといった問題が生じる。また、このような装置では、プリズムやフィルタなどの光学部品や受光側の素子も波長毎の素子が必要となり、部品点数も多くなり、システム的にも大きく高価なものになってしまう。
【００２０】
以上のように光源にランプを使用した従来技術では、装置の大型化やコストアップになってしまう。さらに近赤外光を従来技術のように使用すると、複雑な路面状態に対して比較する波長の反射光量差が小さいので、温度による吸収波長の変動などに対して精度が悪くなり、的確な判別ができない可能性が高い。
【００２１】
近赤外光を使用した空間周波数方式の場合でも、透過性のアスファルト道路では空隙が大きいために判別の精度が悪くなる。
【００２２】
本発明は、このような事情に鑑み創作されたものであって、路面の状態をリアルタイムで高精度に計測でき、小型でエネルギー効率の良い路面状態計測方法及び装置を提供することを目的とする。
【課題を解決するための手段】
【００２３】
上記課題を解決するため、本発明は、水および氷のいずれに対しても吸収され難い波長と、氷に対しては吸収され難く水に対しては吸収され易い波長と、水および氷のいずれに対しても同程度に吸収される波長の少なくとも３つの波長の近赤外光を光源から対象物に照射する照射工程と、この照射された各波長の近赤外光が対象物で反射された反射光を検出する検出工程と、この検出された反射光量を演算処理することにより路面状態を判別する演算処理工程と、を有することを特徴とする。
【００２４】
また、本発明は、水および氷のいずれに対しても吸収され難い波長と、氷に対しては吸収され難く水に対しては吸収され易い波長と、水および氷のいずれに対しても同程度に吸収される波長の少なくとも３つの波長の近赤外光を対象物に照射する光源と、この照射された各波長の近赤外光が対象物で反射された反射光を検出する検出手段と、この検出された反射光量を演算処理することにより路面状態を判別する演算処理手段と、を備えることを特徴とする。
【００２５】
次に、本発明を詳細に説明する。
【００２６】
まず、本発明の基礎となっている水と氷との光の吸収について詳細を述べる。
【００２７】
物質に光が照射されると、物質を構成する原子のエネルギー状態は基底状態から励起状態へと遷移し、この時にエネルギーの吸収が行なわれる。この吸収されたエネルギーは、光の照射を止めると元の基底状態に戻ろうとし、吸収された光に応じた光が放出される。この吸収や放出される光の振動数は原子や分子の種類、構造に関して非常に選択的であり、このため光の吸収スペクトルや放出スペクトルを物質の同定や定量に利用できることは広く知られている。
【００２８】
本発明で用いる水と氷の場合、図３に示すように水が０．９８μｍ，１．２０μｍ，１．４５μｍおよび１．９３μｍの波長において吸収スペクトルのピークあるいは透過率のボトムを有する。同様に氷では、１．０３μｍ，１．２５μｍ，１．５０μｍ及び１．９９μｍの波長において吸収スペクトルのピークあるいは透過率のボトムを有する。このように波長によって吸収や透過率が異なる水や氷を測定することにより、対象物である水、氷を判別することができる。
【００２９】
この場合の吸光度と透過率との関係は、Ｌａｍｂｅｒｔ−Ｂｅｅｒの法則より以下の式（１）によって導くことができる。
【００３０】
Ａ=ｌｏｇ（Ｉ０（λ）／Ｉｔ（λ））・・・（１）
Ａ：吸光度、Ｉ０（λ）：入射光量、Ｉｔ（λ）：物質を透過後の光量
また、実際には水や氷の吸収波長の他に、水分や氷の影響を受けない他の波長の光を参照波長光として照射し、その参照波長による光量により物質の表面状態、粒度等の影響を含んだ入射光量Ｉ０とみなす。その水分の影響を受けない他の波長の光を参照波長光として照射し、それぞれの反射光量を測定する。この測定値を下記の式（２）に入れることによって水分量を求めることができる。
【００３１】
Ｗ＝ａ０＋ａ１・Ｉn（Ｒ／ｓ）・・・（２）
ｓ：吸収波長光の反射光量
ａ０：定数
Ｒ：参照波長光の反射光量
ａ１：比例定数
Ｗ：水分量（％）
次に路面状態の判別法について説明する。
【００３２】
路面の乾燥（Ｄｒｙ）、湿潤（Ｗｅｔ，Ｗａｔｅｒ）、凍結（Ｉｃｅ）、積雪（Ｓｎｏｗ）、雪解け（ｓｌｕｓｈ）の判定基準は、測定結果が図６に示すマトリクスのどの位置になるかにより判定される。
【００３３】
図６では、横軸にＩ（λ２）／（Ｉ（λ１）−Ｉ（λ３））で規格化された水の吸収度を表し、縦軸はＩ（λ１）／Ｉ（λ３）で路面からの反射光量の大きさで雪質かどうか等を判定している。
【００３４】
本発明によれば、水および氷のいずれに対しても吸収され難い波長と、氷に対しては吸収され難く水に対しては吸収され易い波長と、水および氷のいずれに対しても同程度に吸収される波長の少なくとも３つの波長の近赤外光が対象物で反射された反射光を検出し、上記説明したように演算処理することによって、路面状態を判別することができる。
【００３５】
したがって、水と氷のそれぞれの吸収がピークになる波長を使用していないので、温度によって変動する水の吸収波長のピーク位置に影響されることがなく、正確な測定を行うことができる。また、水と氷のそれぞれの吸収がボトムとなる波長を用いていないので、一方の材質と他方の材質との透過率の差を確保することができるので、精度の良い計測をすることができる。
【００３６】
本発明において、前記近赤外光が、少なくとも３つの異なる単一波長の光をそれぞれ個別に出力する光源から照射されるように構成してもよい。
【００３７】
本発明において、少なくとも３つの異なる単一波長の光を出力する光源の全てを１つのパッケージ内に配置し、それら光源からの光を光学部品によりコリメートあるいは集光するように構成してもよい。この場合、１つのパッケージ内に全ての光源を配置するので、小型の装置で計測することが可能になる。
【００３８】
本発明において、前記光源に、発光ダイオードを用いてもよい。この場合、半導体レーザを用いる場合と異なり、光出力を一定にするために回路を増設する必要がない。したがって、装置を小型にすることができる。また、ブロードなスペクトルを有するランプ光源を用いる場合と異なり、光源の照射光量を大きくする必要がなく、装置の小型化を図るとともに、エネルギー効率を良くすることができる。
【００３９】
本発明において、前記反射光の検出には、１つの受光面を有する受光素子を用いてもよい。この場合、小型の装置で計測することが可能で、コストを低減することができる。
【００４０】
本発明において、前記受光素子の受光面の路面に対する光学的距離を保持するための補正手段を有してもよい。補正手段としては、例えば、コリメートあるいは集光に使用している対物レンズを光軸方向に移動させて、常にコリメート光あるいは路面に焦点させるようにする。
【００４１】
本発明において、前記少なくとも３つの波長の近赤外光を対象物に照射するタイミングを、前記各光源をトリガパルスによるシーケンシャル制御することによって設定してもよい。この場合、単一の駆動回路で各光源の照射を行うことができ、部品点数を削減することができる。また、精度を高めるために光源を増やした場合であっても、駆動回路を増やす必要がない。さらに、パルス駆動することにより、エネルギー効率を良くすることができる。
【００４２】
本発明において、前記各光源のシーケンシャル制御により対象物に照射される合計の時間あるいは測定時間を、５０μｓ〜１０ｍｓであるようにしてもよい。
【００４３】
本発明において、前記少なくとも３つの波長の近赤外光を対象物に照射するタイミングを、前記水および氷のいずれに対しても吸収され難い波長の光が点灯している時間内に、前記氷に対しては吸収され難く水に対しては吸収され易い波長の光と、前記水および氷のいずれに対しても同程度に吸収される波長の光とが、交互に点灯時と不点灯時になるように設定し、これら各波長の光のそれぞれの点灯時と不点灯時に光量の測定を行なうようにしてもよい。この場合、短い時間で測定することができる。
【００４４】
本発明により検知された情報を、各種の車両制御装置へフィードバックするようにしてもよい。この場合、車両を安全に制御することができる。
【発明の効果】
【００４５】
本発明によれば、路面の状態をリアルタイムで高精度に計測でき、小型でエネルギー効率の良い路面状態計測方法及び装置を提供することができる。
【発明を実施するための最良の形態】
【００４６】
以下、本発明の実施例を図面に基づいて説明する。
【００４７】
この実施例に係る路面状態検出装置１は、水および氷のいずれに対しても吸収され難い波長λ１と、氷に対しては吸収され難く水に対しては吸収され易い波長λ２と、水および氷のいずれに対しても同程度に吸収される波長λ３の３つの波長の近赤外光を対象物に照射する光源２と、この照射された各波長の近赤外光が対象物で反射された反射光を検出する受光素子３と、この検出された反射光量を演算処理することにより路面状態を判別する演算装置４と、を備えている（図１参照）。
【００４８】
光源２は、３波長（波長λ１，λ２，λ３）の近赤外発光ダイオード２１，２２，２３で構成されおり、それら近赤外発光ダイオード２１，２２，２３が一つのパッケージ２４の中に搭載されている（図２参照）。
【００４９】
この３波長（波長λ１，λ２，λ３）は、氷の透過率が温度に対して変動が無いことを利用して、図３に示されるように氷での透過率が小さくなる直前の波長λ２（図３では、１．４０〜１．４２μｍ）、水と氷の透過率がほぼ同じになる波長λ３（図３では、１．４７μｍ付近）と水にも氷にも透過率の良い波長λ１（図３では、１．１４μｍ以下）の波長としている。
【００５０】
これらの近赤外発光ダイオード２１，２２，２３は、図４に示すようにシーケンシャルに発光され、ビームスプリッタ５、レンズ６を介して近赤外光が路面ｘに照射される。
【００５１】
そして、この照射された各波長の近赤外光が路面ｘで反射された反射光は、受光素子３により検出され、検出された反射光量は演算装置４により演算処理されて路面状態が判別される。
【００５２】
受光素子３としては、ＩｎＧａＡｓ  ＰＩＮフォトダイオードが使用されており、受光素子３の出力は、電圧信号として演算装置４に入力される。
【００５３】
すなわち、路面ｘからの反射光は受光素子４に入射し、光電変換されて後段の演算装置４の中にある増幅器（図示せず）により増幅された後、Ａ／Ｄ変換機（図示せず）によりデジタル化され、演算処理結果より路面状態が判別されて、表示装置７に表示される。
【００５４】
この実施例では、近赤外発光ダイオード２１，２２，２３は、少なくとも３種類必要であるが、受光素子３は１つで済むため、装置の小型化、低コストに貢献する。また、上記のようなシーケンシャル処理により、発光ダイオード用の駆動回路が１つで済むため、部品点数の削減にも貢献できる。さらに、精度を高めるために光源２を増やした場合でも、近赤外発光ダイオードを増加するだけで済み、受光素子３、駆動回路を増やす必要は無い。
【００５５】
しかし、上記のようなシーケンシャル処理による発光タイミングでは、高速移動時には参照光と水または氷の測定光の測る対象物が異なってくることも考えられる。実際に車載で時速６０ｋｍ移動すると、１ｍｓで約１７ｍｍの移動量となる。そのため、上記の別の実施例として参照光用の発光ダイオード２１は常時点灯させ、他の測定対象用の発光ダイオード２２，２３のみをシーケンシャルに点灯、非点灯を行ない、測定時間を短くすることもできる（図５参照）。
【００５６】
この方式では、参照光（λ１）が常時路面ｘに照射されて、その反射光量が受光素子３で検出され、受光素子３の出力信号は、演算装置４によって監視されている。演算装置４は、演算装置４は、受光素子３の出力信号を前後参照光レベルの平均値と比較することにより、その波長による吸光度を算定し、路面ｘの湿潤、凍結を判別する。このようなシーケンシャル処理を行なう場合、受光素子３が飽和しないように設計する必要がある。
【００５７】
次に、演算装置４における演算処理について、具体的に説明する。
【００５８】
それぞれの波長の路面ｘからの反射光量を検出し、その測定値をＩ（λ１）、Ｉ（λ２）、Ｉ（λ３）とすると、図６に示されるようにそれぞれの演算結果から設定された判定基準に照らし合わせて路面状態を判別する。
【００５９】
その判別法を説明すると、上述したように、路面の乾燥（Ｄｒｙ）、湿潤（Ｗｅｔ，Ｗａｔｅｒ）、凍結（Ｉｃｅ）、積雪（Ｓｎｏｗ）、雪解け（ｓｌｕｓｈ）の判定基準を、測定結果が図６に示すマトリクスのどの位置になるかにより判定する。
【００６０】
図６では、横軸にＩ（λ２）／（Ｉ（λ１）−Ｉ（λ３））で規格化した水の吸収度を表し、縦軸はＩ（λ１）／Ｉ（λ３）で路面からの反射光量の大きさで雪質かどうか等を判定している。
【００６１】
本実施例では、水や氷に左右されない２つの波長で、反射光量の最大と最少を求め、水と氷とで吸収が異なることより反射光量が異なる波長で水、氷の区別をしているところに特徴がある。
【００６２】
なお、図６に示すものは判定例の１つであって、路面状態の判別する目的に応じて判別方法を変えることもできる。すなわち、目的によっては、別のＩ（λ１）、Ｉ（λ２）、Ｉ（λ３）の組み合せで、判定することも可能である。
【００６３】
本発明に係る路面状態計測装置１の利用例として、路面状態の判別結果を各種の車両制御装置へ情報を提供することもできる。
【００６４】
また、車両に登載する場合、図７に示すように、受発光装置を進行方向のバンパー付近に設置してもよいが、より好適には、複数の装置をタイヤの前方付近に設置することによって、本当にタイヤが通過する路面の状態を知ることが可能となる。特に山陰のカーブや凍結しやすい場所が左右、前後のタイヤ情報により判明するので、運転者により有効な警告を発したり、制御系へフィードバックすることにより安全に車を制御することができるようになる。
【００６５】
さらに、オートクルーズ機能や自動車両走行時の路面状態を自動で判断することにより、走行速度制御のパラメータとしてブレーキシステムや急ハンドル操作の抑制を中心とした各種駆動系への制御やスリップ注意の警告灯表示の安全装置へフィードバックするようにしてもよい。
【００６６】
さらにまた、別の利用例としては、本発明の装置を取り付けた車両からの路面情報をネットワークに提供することによって、ネットワークで繋がれた別の車両が路面情報を受け取り、カーナビゲーションなどの情報システムに有効に活かす事も可能となる。
【産業上の利用可能性】
【００６７】
本発明は、ドライバーや各制御装置等に路面情報を提供する路面状態計測方法および装置に有効に利用できる。
【図面の簡単な説明】
【００６８】
【図１】本発明の路面状態計測装置の一例を示す概略図である。
【図２】図１に示す路面状態計測装置の発光装置の構成を示す概略図である。
【図３】水と氷の透過率特性を示す図である。
【図４】本発明の実施形態における各発光ダイオードの発光とデータ読み取りタイミングを示す図である。
【図５】本発明の実施形態における各発光ダイオードの発光とデータ読み取りタイミングの他の例を示す図である。
【図６】本発明の実施形態における路面状態の判別のためのマトリクスを示す図である。
【図７】本発明の路面状態計測装置を車両に搭載した例を示す図である。
【図８】従来の路面状態計測装置を示す概略図である。
【符号の説明】
【００６９】
１    路面状態計測装置
２    光源
２１，２２，２３  近赤外発光ダイオード
３    受光素子（検出手段）
４    演算装置（演算処理手段）
５    ビームスプリッタ
６    コリメートレンズ
ｘ    路面
【図１】
2006046936.tif 000003
【図２】
2006046936.tif 000004
【図３】
2006046936.tif 000005
【図４】
2006046936.tif 000006
【図５】
2006046936.tif 000007
【図６】
2006046936.tif 000008
【図７】
2006046936.tif 000009
【図８】
2006046936.tif 000010